(57)【要約】【課題】構成簡素であり、部品点数が少なく、軽量であり、操作性の良いカバンの蓋止め具を提供する。【解決手段】カバン本体２と、たれ蓋３の延長部５とに設けられた雄部１１と雌部１２とからなり、雄部１１と雌部１２の雌雄連結によりカバン本体２にたれ蓋３を係止するカバンの蓋止め具１０であって、雄部１１は、Ｎ極磁石２４を備え、周面に溝部２２が設けられた凸部２１を有する。雌部１２は、凸部２１よりも僅かに大径な凹部２７を有する筐体２６と、凹部２７の底面を形成し、この底面にＳ極磁石３４を備え、押圧力Ａによってスライド移動し、押圧力Ａが加わる方向とは逆方向に付勢され、溝部２２と係合する爪部３２ａを備えたスライド部材２９とを有する。雄部１１と雌部１２は、雌雄連結時には磁力によって引き付けられ、雌雄連結解除時にはスライド部材２９が移動してその引付け磁力が分断される構成とした。【選択図】図４
2013043058.tif 000002
【特許請求の範囲】
【請求項１】
カバン本体（２）と、たれ蓋（３）又は該たれ蓋からの延長部（５）とに設けられた雄部（１１）と雌部（１２）とからなり、前記雄部と前記雌部の雌雄連結により前記カバン本体に前記たれ蓋を係止するカバンの蓋止め具（１０）であって、
前記雄部は、
前記雌雄連結のときに前記雌部と対向する面に、その内部における所定位置に磁性体（２４）を備え、周面に該面を一周する溝部（２２）が設けられた短い円柱状の凸部（２１）を有し、
前記雌部は、
前記雌雄連結のときに前記雄部と対向する面に該雄部の前記凸部よりも僅かに大径な略円形の凹部（２７）を有する筐体（２６）と、
前記筐体の内部に配設され、前記凹部の底面を形成し、該面の所定位置に磁性体（３４）を備え、所定方向からの押圧力（Ａ）によってスライド移動するとともに該押圧力が加わる方向とは逆方向に付勢されており、前記雌雄連結時には前記凸部の前記溝部と係合して該凸部を前記凹部の内部に止める爪部（２８ａ）を備えた板状のスライド部材（２９）とを有し、
前記雄部と前記雌部は、前記雌雄連結時には前記凸部と前記凹部が前記磁性体の磁力によって引き付けられ、前記雌雄連結解除時には前記スライド部材がスライド移動して前記磁性体の間の引付け磁力が分断されることを特徴とするカバンの蓋止め具。
【請求項２】
前記スライド部材における前記凹部の底面となる面には、
前記押圧力が加わる方向から逆方向に向けて上り傾斜した傾斜面（３１ａ）を有し、前記スライド部材がスライド移動すると前記凹部の内部に進出する突片（３１）が設けられたことを特徴とする請求項１記載のカバンの蓋止め具。
【請求項３】
前記雄部１１と前記雌部１２が備える前記磁性体２４，３４に互いに磁極の異なる永久磁石を用いたことを特徴とする請求項１又は２記載のカバンの蓋止め具。
【発明の詳細な説明】
【技術分野】
【０００１】
本発明は、雄部と雌部の連結によってたれ蓋を係止するカバンの蓋止め具に関する。なお、本明細書では、以下、ランドセルにおける蓋止め具を例として説明する。
【背景技術】
【０００２】
周知のように、ランドセルは、略矩形の有底筒状のカバン本体と、カバン本体の上部の開口部及び外周部の一部を覆うたれ蓋とを備えている。カバン本体には使用者がこれを背負うためのストラップが設けられている。また、たれ蓋にはこのたれ蓋の下部から延びた延長部が設けられている。延長部には蓋止め具を構成する雌部が設けられている。また、カバン本体にはこの雌部と共に蓋止め具を構成する雄部が設けられている。蓋止め具では、雄部と雌部の連結によってたれ蓋を係止する。
【０００３】
下記特許文献１〜３にはたれ蓋を係止するための蓋止め具が開示されている。いずれの文献の蓋止め具も、カバン本体に雄部が設けられ、たれ蓋からの延長部に雌部が設けられ、雄部と雌部の雌雄連結によってたれ蓋を係止する。雄部は、カバン本体から突出するとともに左右どちらにも回動する操作つまみを備えている。雌部は、この操作つまみが挿通される略矩形の挿通孔を備えている。これらの蓋止め具は、雄部の操作つまみを雌部の挿通孔に挿通させた後、操作つまみを左右どちらかに９０°回動させることでたれ蓋を係止する。
【０００４】
通常、蓋止め具は、雌雄連結のときに雄部と雌部を引き付けるために磁性体（磁石）を備えている。磁石は主に雄部側に設けられており、雌部を鉄などの磁性体（磁性金属）で形成することにより、雄部と雌部を磁力によって引き付けることができる。
【０００５】
また、下記特許文献４には磁力を利用した結合モジュールが開示されている。この文献に開示される結合モジュールによれば、ロックを機械的に行い、二つの結合モジュールが結合時に互いに引き付け合い、その結合状態を容易に解除可能という三つの事項を同時に満たすことができる。このような結合モジュールをランドセルなどのカバンの蓋止め具に適用する場合、二つの結合モジュールは、いずれか一方がたれ蓋又はたれ蓋からの延長部などの可動側に設けられ、他方がカバン本体などの固定側に設けられる。一方の結合モジュール（例えば、こちらを可動側の結合モジュールとする）は、磁石（可動側の磁性体）と、隙間を有する制動片とから主に構成されている。制動片は連結機構を介して可動側の磁性体と結合されている。他方の結合モジュール（例えば、こちらを固定側の結合モジュールとする）は、強磁性の接片（固定側の磁性体）と、ロック片と、ばねロック部材とから主に構成されている。可動側の結合モジュールが固定側の結合モジュールに近づくと、ロック片が制動片に当接し、可動側及び固定側の磁性体の間の磁力による引き付けにより、ばね作用で保持されたロック片と制動片は係合する。また、結合状態を解除するときは、ばねロック部材が、ロック片が隙間と向かい合うことでロックが解除される程度に変位し、可動側の磁性体の変位によって磁力の減衰が起こり、固定側の磁性体が可動側の磁性体に引き付けられなくなり、感触的に快適な柔らかい開閉を実現することができる。
【０００６】
図７，８には上述した結合モジュールの一例（具体例）を示している。図７，８の例の結合モジュール１０１，１０２では、制動片１０３が磁石（可動側の磁性体）１０４を介してストッパによりクリアランスをもって連結されている。回動可能な閉止部（結合モジュール１０１）に複数組の磁石１０４が使用されるとき、結合状態を解除するための開放角は好ましくは１２０°である。なお、より良い保持のために四つのばねロック部材１０５が用いられるとき、開放角は隙間１０６を変位させるために６０°が好ましい。図７，８の例において、制動片１０３と磁石１０４の運動は、間接的な連結機構１０７（連結切欠き１０７ａ，連結係合片１０７ｂ）を介して６０°程度のクリアランスをもって連結されており、これにより、閉止位置と開放位置が同期するようになる。なお、図７，８において、符号１０５ａはばねロック部材１０５のロック片、符号１０８は固定側の結合モジュール１０２の磁石（固定側の磁性体）である。
【先行技術文献】
【特許文献】
【０００７】
【特許文献１】特開２００１−１４９１２４号公報
【特許文献２】特開２００１−２５２１２１号公報
【特許文献３】特開２００４−３５７７６６号公報
【特許文献４】特表２００９−５４２３８０号公報
【発明の概要】
【発明が解決しようとする課題】
【０００８】
しかしながら、上述した従来のカバンの蓋止め具（上記特許文献１〜３）では、構成が複雑であり、部品点数が多く、さらに、金属部品を多用するために重くなるなどの欠点があった。また、雄部と雌部を連結するときに操作つまみを回動して雌雄を固定する必要があり、連結解除するときには操作つまみを回動した後に磁力によって引き付けられている雄部と雌部を引き離す操作が必要となり、操作性が悪かった。このような操作性の悪さは特に手の不自由な人などに苦労を強いることになっていた。
【０００９】
また、図７，８に示すような結合モジュール（上記特許文献４）においても、連結解除するときに操作部となる閉止部（結合モジュール１０１）を１２０°程度回動させる操作が必要となり、したがって、上述した従来の蓋止め具と同様、操作性について改善の余地がある。
【００１０】
そこで本発明は、このような状況に鑑みてなされたものであり、構成簡素であり、部品点数が少なく、軽量であり、操作性の良いカバンの蓋止め具を提供することを目的としている。
【課題を解決するための手段】
【００１１】
次に、上記の課題を解決するための手段を、実施の形態に対応する図面を参照して説明する。
本発明に係る請求項１記載のカバンの蓋止め具は、カバン本体２と、たれ蓋３又は該たれ蓋３からの延長部５とに設けられた雄部１１と雌部１２とからなり、前記雄部１１と前記雌部１２の雌雄連結により前記カバン本体２に前記たれ蓋３を係止するカバンの蓋止め具１０であって、
前記雄部１１は、
前記雌雄連結のときに前記雌部１２と対向する面に、その内部における所定位置に磁性体２４を備え、周面に該面を一周する溝部２２が設けられた（非磁性体からなる）短い円柱状の凸部２１を有し、
前記雌部１２は、
前記雌雄連結のときに前記雄部１１と対向する面に該雄部１１の前記凸部２１よりも僅かに大径な略円形の凹部２７を有する筐体２６と、
前記筐体２６の内部に配設され、前記凹部２７の底面を形成し、該面の所定位置に磁性体３４を備え、所定方向からの押圧力Ａによってスライド移動するとともに該押圧力Ａが加わる方向とは逆方向に付勢されており、前記雌雄連結時には前記凸部２１の前記溝部２２と係合して該凸部２１を前記凹部２７の内部に止める爪部２８ａを備えた板状のスライド部材２９とを有し、
前記雄部１１と前記雌部１２は、前記雌雄連結時には前記凸部２１と前記凹部２７が前記磁性体２４，３４の磁力によって引き付けられ、前記雌雄連結解除時には前記スライド部材２９がスライド移動して前記磁性体２４，３４の間の引付け磁力が分断されることを特徴としている。
【００１２】
このような構成によれば、雄部１１と雌部１２を雌雄連結するときには互いの磁性体２４，３４の間の磁力によって雄部１１と雌部１２を引き付けるため、容易に雌雄連結可能となる。また、雄部１１と雌部１２を引き付ける磁力により、雌雄連結時にはこれら雄部１１と雌部１２の係合を補助するようになる。さらに、雌雄連結時には雄部１１の溝部２２に雌部１２の爪部３２ａが入り込んで雄部１１と雌部１２が機械的に係合するため、たれ蓋３を強固に係止することができる。また、雌雄連結解除時にスライド部材２９を所定方向に押圧すると、雄部１１と雌部１２の機械的な係合が外れるとともに、互いの磁性体２４，３４が離間することにより、磁性体２４，３４の間の引付け磁力が分断されるため、容易に雌雄連結解除が可能となる。
【００１３】
請求項２記載のカバンの蓋止め具は、前記スライド部材２９における前記凹部２７の底面となる面には、
前記押圧力Ａが加わる方向から逆方向に向けて上り傾斜した傾斜面３１ａを有し、前記スライド部材２９がスライド移動すると前記凹部２７の内部に進出する突片３１が設けられたことを特徴としている。
【００１４】
このような構成によれば、スライド部材２９のスライド移動に伴い、突片３１に押されて雄部１１の凸部２１が雌部１２の凹部２７の内部から強制的に離脱するようになり、確実な雌雄連結解除が可能となる。
【００１５】
上記請求項１又は２記載のカバンの蓋止め具において、前記雄部１１と前記雌部１２がそれぞれ備える前記磁性体２４，３４に、いずれか一方に永久磁石を用い、他方に磁性金属を用いた構成とすると、両方に永久磁石を使用しないで済むため、安価となる。
【００１６】
請求項３記載のカバンの蓋止め具は、前記雄部１１と前記雌部１２が備える前記磁性体２４，３４に互いに磁極の異なる永久磁石を用いたことを特徴としている。
【００１７】
このような構成によれば、雌雄連結解除時に雄部１１と雌部１２の磁性体２４，３４が離間することでＮ極とＳ極の中心がずれて磁界の向きが反発する向きに変わり、雄部１１の凸部２１は雌部１２の凹部２７の内部から確実に離脱する。これにより、雌雄連結解除を簡単、且つ確実に行えるようになる。
【発明の効果】
【００１８】
本発明に係るカバンの蓋止め具によれば、部品点数が少なく、構成簡素となり、また、磁性金属などのような金属部品をほとんど使用していないために軽量となる。さらに、スライド部材をスライド移動させると自動的に雌雄連結が解除されるため、一操作（ワンタッチ）で雌雄連結解除を可能にする構成となり、例えば手の不自由な人でも容易に操作することができる。すなわち、操作性が良いものとなる。
【図面の簡単な説明】
【００１９】
【図１】本発明の実施の形態を備えたカバン（ランドセル）を示す斜視図である。
【図２】同実施の形態の雄部を示す分解斜視図である。
【図３】同実施の形態の雌部を示す分解斜視図である。
【図４】同実施の形態の雌雄連結時の状態を示す側断面図である。
【図５】同実施の形態を雌雄連結するときの各部の動作を示す側断面図である。
【図６】同実施の形態を雌雄連結解除するときの各部の動作を示す側断面図である。
【図７】（ａ）従来の蓋止め具（結合モジュール）を示す分解斜視図である。  （ｂ）従来の蓋止め具（結合モジュール）のうち、固定側の結合モジュールを示す平面図である。
【図８】従来の蓋止め具（結合モジュール）の連結状態を示す斜視（一部断面）図である。
【発明を実施するための形態】
【００２０】
以下、本発明の実施の形態を図面を参照して具体的に説明する。
図１に示すように、ランドセル１は、略矩形の有底筒状のカバン本体２と、カバン本体２の上部の開口部（内容物の収納口）及び外周部の一部を覆うたれ蓋３とを備えている。カバン本体２にはこのランドセル１を背負うときに使用するストラップ４，４が設けられている。たれ蓋３にはこのたれ蓋３の下部から延びた延長部５が設けられている。延長部５にはたれ蓋３を係止するための蓋止め具１０が設けられている。
【００２１】
蓋止め具１０は、たれ蓋３の延長部５に設けられた雄部１１と、カバン本体２の底面２ａに設けられた雌部１２とからなる。この蓋止め具１０では、雄部１１と雌部１２の雌雄連結によってたれ蓋３を係止する。
【００２２】
図２に示すように、雄部１１は、表面部材１３と、裏面部材１７とからなる。雄部１１を取り付けた状態において、表面部材１３はたれ蓋３を閉じたときに延長部５の表面に位置し、裏面部材１７は延長部５の裏面に位置する。表面部材１３は、その上部が略円形の中空板状に形成されており、下部が略矩形の板状に形成されている。略円形の板状部分には略円形の凹部１４が設けられている。凹部１４の周縁には複数の切欠き１５が等間隔で設けられている。この実施の形態では、四つの切欠き１５が９０°ごとに設けられている。また、凹部１４の底面中央にはこの凹部１４よりも小さい径の略円形の凹部１６が設けられている。
【００２３】
裏面部材１７は、円板状の底部１８と、短い円柱状の凸部２１とからなる。底部１８は、表面部材１３と対向する面（凸部２１がある面とは反対側の面）に表面部材１７の凹部１４の切欠き１５に対応した複数の係合突片１９が設けられている。すなわち、係合突片１９は、先端に爪部１９ａが設けられ、上述した切欠き１５と同様に９０°の位相差を有して設けられている。また、底部１８には、表面部材１３と対向する面に表面部材の凹部１６に嵌合可能な径に形成された円筒部２０が設けられている。円筒部２０はその内部が凸部２１の内部まで連通している。
【００２４】
凸部２１は、係合突片１９や円筒部２０が設けられた面とは反対側の面に設けられている。この凸部２１が設けられた面は、後述する雌部１２と雌雄連結のときに対向する面となる。凸部２１の周面２１ａにはこの面を一周する一条の溝部２２が設けられている。また、凸部２１の内部には中央に略円形の凹部２３が設けられている。凹部２３は円筒部２０の内部と連通しており、凹部２３には円筒部２０の側から短い円柱状の磁性体（例えばＮ極のネオジウムマグネットなどの永久磁石）２４が嵌入される。凸部２１の端面２１ｂには中央にＮ極磁石２４を抜き出すための小孔２５が設けられている。なお、小孔２５は必ずなければならないものではないため、小孔２５が設けられていない構成としてもよい。
【００２５】
図４に示すように、表面部材１３と裏面部材１７は、延長部５を介してこの延長部５の表裏から連結され、延長部５の先端付近に固定される。このとき、まず、裏面部材１７の係合突片１９が表面部材１３の凹部１４の切欠き１５に挿入され、次に、裏面部材１７を所定角度（３０°程度）回動させることで爪部１９ａが凹部１４の周縁と係合し、これにより、表面部材１３と裏面部材１７は係合する。なお、延長部５において、雄部１１が取り付けられる位置には係合突起１９と円筒部２０が通過する孔が予め穿設されている。
【００２６】
図３に示すように、雌部１２は、カバン本体２の底面２ａに設けられ、筐体２６と、スライド部材２９と、取付板４０とからなる。筐体２６は、下部が湾曲した略矩形の箱状に形成されており、雌部１２を取り付けた状態において、雌雄連結のときに雄部１１と対向する面に雄部１１の凸部２１よりも僅かに大径な略円形の凹部２７が設けられている。筐体２６の背面の四隅付近には、先端に爪部２８ａが設けられた係合突片２８が設けられている。
【００２７】
スライド部材２９は、略矩形の板状の部材であり、筐体２６の内部に配設されている。スライド部材２９は、筐体２６の凹部２７の底面を形成している。また、スライド部材２９の下部には屈曲部３０が設けられている。この屈曲部３０が雄部１１と雌部１２の雌雄連結を解除するときに使用者が手指などで押圧操作する部分（リリースボタン）となる。スライド部材２９の凹部２７の底面となる面には、上部から下部に向けて上し傾斜した傾斜面３１ａを有した突片３１が設けられている。さらに、スライド部材２９の上部には凹部２７に向けて突出した突出部３２が設けられており、突出部３２の下部先端には下方に突出した爪部３２ａが設けられている。図４に示すように、この爪部３２ａは、雌雄連結時には雄部１１の凸部２１の溝部２２と係合する。スライド部材２９の背面において、凹部２７の底面となる位置には、略円形の凹部３３が設けられている。凹部３３には背面側から短い円柱状の磁性体（上述した雄部１１の永久磁石２４とは異極となる、例えばＳ極のネオジウムマグネットなどの永久磁石）３４が嵌入される。スライド部材２９の凹部２７の底面となる面には凹部３３から連通してＳ極磁石３４を抜き出すための小孔３５が設けられている。なお、上述した凸部２１の小孔２５と同様にこの小孔３５も必ずなければならないものではないため、小孔３５が設けられていない構成としてもよい。また、スライド部材２９の上面には付勢部材としてのコイルばね３６が配設される切欠き３７が設けられている。図４に示すように、この切欠き３７に配設されたコイルばね３６は、筐体２６上面の内面との間で付勢力を有し、これにより、スライド部材２６は所定方向（この実施の形態では下方）からの押圧力Ａ（図６参照）によるスライド移動に対して逆方向に付勢されるようになる。
【００２８】
筐体２６は、スライド部材２９を内部に配した状態で下部が湾曲した略矩形の板状の蓋部３８によってその背面が閉塞されている。蓋部３８の四隅付近には係合突片２８が通過する略矩形の孔３９が設けられている。
【００２９】
スライド部材２９などが組み込まれた筐体２６は、カバン本体２の底面２ａを介して略矩形の板状の取付板４０と連結してカバン本体２に取り付けられる。このとき、筐体２６の係合突片２８の爪部２８ａが取付板４０の四隅付近に設けられた係合孔４１と係合し、これにより、筐体２６と取付板４０は係合する。なお、カバン本体２の底面２ａには係合突片２８が通過する位置に予め孔が穿設されている。
【００３０】
図４に示すように、雄部１１と雌部１２は、雄部１１の凸部２１が雌部１２の凹部２７の内部に挿入された雌雄連結時において、凸部２１の溝部２２とスライド部材２９の爪部２８ａが係合して機械的にロックされる。また、このとき、雄部１１のＮ極磁石２４と雌部１２のＳ極磁石３４の間の磁力によって雄部１１と雌部１２を引き付けてこれらの係合は補助される。
【００３１】
ここから、図５，６を参照して雄部１１と雌部１２を雌雄連結するとき及び雌雄連結を解除するときの各部の動作を説明する。まず、雌雄連結するときについて説明する。
図５（ａ）に示すように、雌雄連結前の雌部では、スライド部材２９がコイルばね３７の付勢力によって筐体２６の内部にて下方に押されており、凹部２７の内部には爪部３２ａが進出している。また、雄部１１と雌部１２は、Ｎ極磁石２４とＳ極磁石３４の間の磁力によって凸部２１が凹部２７の内部へと引き付けられる。
【００３２】
図５（ｂ）に示すように、雄部１１の凸部２１が雌部１２の凹部２７の内部に進入すると、凸部２１の周縁に爪部３２ａが押され、これに伴い、スライド部材２７はコイルばね３２ａの付勢力に逆らいながら上方へと押される。
【００３３】
図５（ｃ）に示すように、雄部１１の凸部２１が完全に雌部１２の凹部２７の内部に進入すると、コイルばね３７の付勢力によってスライド部材２９が下方に押され、凸部２１の溝部２２に爪部３２ａが係合して凸部２１を機械的にロックする。このとき、溝部２２と爪部３２ａの係合はコイルばね３７の付勢力によって雌雄連結が解除されるまで保持されるとともに、Ｎ極磁石２４とＳ極磁石３４の間の磁力によってこの係合を補助する。
【００３４】
次に、雌雄連結を解除するときについて説明する。
図６（ａ）に示すように、雌雄連結状態において、下方から手指などで押圧力Ａが加えられると、図６（ｂ）に示すように、スライド部材２９がコイルばね３７の付勢力に逆らいながら上方へとスライド移動する。スライド部材２９のスライド移動により、凸部２１の溝部２２から爪部３２ａが離脱して係合が解除されるとともに、凹部２７の内部へと進出してきたスライド部材２９の突片３１の傾斜面３１ａに凸部２１のテーパ状の周縁が押され、凸部２１は凹部２７の内部から強制的に押し出される。また、このとき、スライド部材２９のスライド移動に伴い、Ｓ極磁石３４が上方に移動してＮ極磁石２４から離間し、その間の磁力が分断される。これに加えて、磁石２４，３４の中心がずれることで磁界の向きが反発する向きに変わり、両磁石２４，３４は反発するようになる。
【００３５】
図６（ｃ）に示すように、凸部２１が凹部２７の内部から押し出された後、下方からの押圧力Ａが加えられなくなると、スライド部材２９はコイルばね３７の付勢力によって筐体２６の内部にて下方に押され、雌雄連結前の状態に戻る。
【００３６】
上述した実施の形態によれば、雄部１１と雌部１２を雌雄連結するときにはＮ極磁石２４とＳ極磁石３４の間の磁力によって雄部１１と雌部１２を引き付けるため、容易に雌雄連結可能となる。また、雄部１１と雌部１２を引き付ける磁力により、雌雄連結時にはこれら雄部１１と雌部１２の係合を補助するようになる。さらに、雌雄連結時には雄部１１の溝部２２に雌部１２の爪部３２ａが入り込んで雄部１１と雌部１２が機械的に係合するため、たれ蓋３を強固に係止することができる。また、雌雄連結解除時にスライド部材２９を下方から押圧すると、雄部１１と雌部１２の機械的な係合が外れるとともに、Ｎ極磁石２４からＳ極磁石３４が離間することにより、Ｎ極磁石２４とＳ極磁石３４の間の磁力が分断されるとともに、両磁石２４，３４は反発するようになるため、容易に雌雄連結解除が可能となる。
【００３７】
また、スライド部材２９のスライド移動に伴い、突片３１に押されて雄部１１の凸部２１が雌部１２の凹部２７の内部から強制的に離脱するようになり、確実な雌雄連結解除が可能となる。
【００３８】
さらに、磁性体（Ｎ極磁石２４、Ｓ極磁石３４）やコイルばね３７を除いた各部を構成する部品の大半が樹脂などの非磁性体で形成されており、軽量となる。
【００３９】
なお、上述した実施の形態では、雄部１１と雌部１２はＮ極磁石２４とＳ極磁石３４を備えた構成としているが、例えば、雄部１１と雌部１２の磁性体２４，３４を、一方を永久磁石、他方を鉄などの磁性金属とすれば、雄部１１と雌部１２の両方に永久磁石を使用する場合に比べて安価となる。また、いずれか一方だけを磁石とした場合は引付け磁力が比較的小さいため、磁石の間の反発力を利用しなくても雌雄連結解除を比較的容易に行うことができる。
【符号の説明】
【００４０】
２…カバン本体
３…たれ蓋
５…延長部
１０…蓋止め具
１１…雄部
１２…雌部
２１…凸部
２２…溝部
２４…磁性体（Ｎ極磁石）
２６…筐体
２７…凹部
２９…スライド部材
３１…突片
３１ａ…傾斜面
３４…磁性体（Ｓ極磁石）
Ａ…押圧力
【図１】
2013043058.tif 000003
【図２】
2013043058.tif 000004
【図３】
2013043058.tif 000005
【図４】
2013043058.tif 000006
【図５】
2013043058.tif 000007
【図６】
2013043058.tif 000008
【図７】
2013043058.tif 000009
【図８】
2013043058.tif 000010
【手続補正書】
【提出日】平成24年6月22日(2012.6.22)
【手続補正１】
【補正対象書類名】明細書
【補正対象項目名】００１１
【補正方法】変更
【補正の内容】
【００１１】
次に、上記の課題を解決するための手段を、実施の形態に対応する図面を参照して説明する。
本発明に係る請求項１記載のカバンの蓋止め具は、カバン本体２と、たれ蓋３又は該たれ蓋３からの延長部５とに設けられた雄部１１と雌部１２とからなり、前記雄部１１と前記雌部１２の雌雄連結により前記カバン本体２に前記たれ蓋３を係止するカバンの蓋止め具１０であって、
前記雄部１１は、
前記雌雄連結のときに前記雌部１２と対向する面に、その内部における所定位置に磁性体２４を備え、周面に該面を一周する溝部２２が設けられた（非磁性体からなる）短い円柱状の凸部２１を有し、
前記雌部１２は、
前記雌雄連結のときに前記雄部１１と対向する面に該雄部１１の前記凸部２１よりも僅かに大径な略円形の凹部２７を有する筐体２６と、
前記筐体２６の内部に配設され、前記凹部２７の底面を形成し、該面の所定位置に磁性体３４を備え、所定方向からの押圧力Ａによってスライド移動するとともに該押圧力Ａが加わる方向とは逆方向に付勢されており、前記雌雄連結時には前記凸部２１の前記溝部２２と係合して該凸部２１を前記凹部２７の内部に止める爪部３２ａを備えた板状のスライド部材２９とを有し、
前記雄部１１と前記雌部１２は、前記雌雄連結時には前記凸部２１と前記凹部２７が前記磁性体２４，３４の磁力によって引き付けられ、前記雌雄連結解除時には前記スライド部材２９がスライド移動して前記磁性体２４，３４の間の引付け磁力が分断されることを特徴としている。
【手続補正２】
【補正対象書類名】明細書
【補正対象項目名】００２７
【補正方法】変更
【補正の内容】
【００２７】
スライド部材２９は、略矩形の板状の部材であり、筐体２６の内部に配設されている。スライド部材２９は、筐体２６の凹部２７の底面を形成している。また、スライド部材２９の下部には屈曲部３０が設けられている。この屈曲部３０が雄部１１と雌部１２の雌雄連結を解除するときに使用者が手指などで押圧操作する部分（リリースボタン）となる。スライド部材２９の凹部２７の底面となる面には、上部から下部に向けて上し傾斜した傾斜面３１ａを有した突片３１が設けられている。さらに、スライド部材２９の上部には凹部２７に向けて突出した突出部３２が設けられており、突出部３２の下部先端には下方に突出した爪部３２ａが設けられている。図４に示すように、この爪部３２ａは、雌雄連結時には雄部１１の凸部２１の溝部２２と係合する。スライド部材２９の背面において、凹部２７の底面となる位置には、略円形の凹部３３が設けられている。凹部３３には背面側から短い円柱状の磁性体（上述した雄部１１の永久磁石２４とは異極となる、例えばＳ極のネオジウムマグネットなどの永久磁石）３４が嵌入される。スライド部材２９の凹部２７の底面となる面には凹部３３から連通してＳ極磁石３４を抜き出すための小孔３５が設けられている。なお、上述した凸部２１の小孔２５と同様にこの小孔３５も必ずなければならないものではないため、小孔３５が設けられていない構成としてもよい。また、スライド部材２９の上面には付勢部材としてのコイルばね３６が配設される切欠き３７が設けられている。図４に示すように、この切欠き３７に配設されたコイルばね３６は、筐体２６上面の内面との間で付勢力を有し、これにより、スライド部材２９は所定方向（この実施の形態では下方）からの押圧力Ａ（図６参照）によるスライド移動に対して逆方向に付勢されるようになる。
【手続補正３】
【補正対象書類名】明細書
【補正対象項目名】００３０
【補正方法】変更
【補正の内容】
【００３０】
図４に示すように、雄部１１と雌部１２は、雄部１１の凸部２１が雌部１２の凹部２７の内部に挿入された雌雄連結時において、凸部２１の溝部２２とスライド部材２９の爪部３２ａが係合して機械的にロックされる。また、このとき、雄部１１のＮ極磁石２４と雌部１２のＳ極磁石３４の間の磁力によって雄部１１と雌部１２を引き付けてこれらの係合は補助される。
【手続補正４】
【補正対象書類名】明細書
【補正対象項目名】００３２
【補正方法】変更
【補正の内容】
【００３２】
図５（ｂ）に示すように、雄部１１の凸部２１が雌部１２の凹部２７の内部に進入すると、凸部２１の周縁に爪部３２ａが押され、これに伴い、スライド部材２９はコイルばね３７の付勢力に逆らいながら上方へと押される。
【手続補正５】
【補正対象書類名】明細書
【補正対象項目名】００４０
【補正方法】変更
【補正の内容】
【００４０】
２…カバン本体
３…たれ蓋
５…延長部
１０…蓋止め具
１１…雄部
１２…雌部
２１…凸部
２２…溝部
２４…磁性体（Ｎ極磁石）
２６…筐体
２７…凹部
２９…スライド部材
３１…突片
３１ａ…傾斜面
３２ａ…爪部
３４…磁性体（Ｓ極磁石）
Ａ…押圧力
【手続補正６】
【補正対象書類名】特許請求の範囲
【補正対象項目名】請求項１
【補正方法】変更
【補正の内容】
【請求項１】
カバン本体（２）と、たれ蓋（３）又は該たれ蓋からの延長部（５）とに設けられた雄部（１１）と雌部（１２）とからなり、前記雄部と前記雌部の雌雄連結により前記カバン本体に前記たれ蓋を係止するカバンの蓋止め具（１０）であって、
前記雄部は、
前記雌雄連結のときに前記雌部と対向する面に、その内部における所定位置に磁性体（２４）を備え、周面に該面を一周する溝部（２２）が設けられた短い円柱状の凸部（２１）を有し、
前記雌部は、
前記雌雄連結のときに前記雄部と対向する面に該雄部の前記凸部よりも僅かに大径な略円形の凹部（２７）を有する筐体（２６）と、
前記筐体の内部に配設され、前記凹部の底面を形成し、該面の所定位置に磁性体（３４）を備え、所定方向からの押圧力（Ａ）によってスライド移動するとともに該押圧力が加わる方向とは逆方向に付勢されており、前記雌雄連結時には前記凸部の前記溝部と係合して該凸部を前記凹部の内部に止める爪部（３２ａ）を備えた板状のスライド部材（２９）とを有し、
前記雄部と前記雌部は、前記雌雄連結時には前記凸部と前記凹部が前記磁性体の磁力によって引き付けられ、前記雌雄連結解除時には前記スライド部材がスライド移動して前記磁性体の間の引付け磁力が分断されることを特徴とするカバンの蓋止め具。